(57)【要約】【課題】凸部が強調され、優れた外観を壁全体に付与可能な壁材を提供する。【解決手段】本発明の外壁材１では、縦目地５は縦方向に向かって直線状又は曲線状に延びている。横目地７は、横方向に向かって直線状かつ平行に延びている。少なくとも二つの縦目地５は、上から下の方向又は下から上の方向に沿って横方向の幅Ｗ１が広がる特殊縦目地５Ｘである。二つの特殊縦目地５Ｘが少なくとも一つの凸部３を挟んで横方向に並んでいる。【選択図】図２
2018172890.tif 000002
【特許請求の範囲】
【請求項１】
複数の凸部と、第１方向に延び、前記第１方向と直交する第２方向で隣接する前記凸部間に位置して前記凸部を区画する複数の第１目地と、前記第２方向に延び、前記第１方向で隣接する前記凸部間に位置して前記凸部を区画する複数の第２目地とを備え、
前記第１目地は前記第１方向に向かって直線状又は曲線状に延び、
前記第２目地は前記第２方向に向かって直線状かつ平行に延び、
少なくとも二つの前記第１目地は、前記第１方向又は前記第１方向とは反対の方向に沿って前記第２方向の幅が広がる特殊第１目地であり、
二つの前記特殊第１目地が少なくとも一つの前記凸部を挟んで前記第２方向に並んでいることを特徴とする壁材。
【請求項２】
前記特殊第１目地は、前記第１方向に沿って前記第２方向の幅が広がるＡ型第１目地又は前記第１方向とは反対の方向に沿って前記第２方向の幅が広がるＢ型第１目地であり、
前記Ａ型第１目地と前記Ｂ型第１目地とは前記第２方向に不規則に並んでいる請求項１記載の壁材。
【請求項３】
前記特殊第１目地を介して前記第２方向で隣接する前記第２目地は、前記第１方向の幅が異なる請求項１記載の壁材。
【請求項４】
前記第１方向の一端縁に位置する前記特殊第１目地である一端縁側特殊第１目地と、前記第１方向の他端縁に位置する前記特殊第１目地である他端縁側特殊第１目地とは、前記第２方向の位置が異なる請求項１記載の壁材。
【請求項５】
前記凸部は、前記第１方向の幅よりも前記第２方向の幅が広いα型凸部と、前記第２方向の幅よりも前記第１方向の幅が広いβ型凸部とを有し、
前記β型凸部は、他の前記β型凸部と隣接せず、
前記β型凸部は、前記特殊第１目地によって隣接する複数の前記α型凸部と区画されている請求項１記載の壁材。
【請求項６】
前記α型凸部は、第１種α型凸部と、前記第１種α型凸部よりも前記第２方向の長さが長い第２種α型凸部とを有している請求項５記載の壁材。
【発明の詳細な説明】
【技術分野】
【０００１】
本発明は壁材に関する。
【背景技術】
【０００２】
特許文献１、２に従来の壁材が開示されている。これらの壁材は、複数の凸部と、縦方向に延びる複数の縦目地と、横方向に延びる複数の横目地とを備えている。縦目地は、横方向で隣接する凸部間に位置して凸部を区画している。横目地は、縦方向で隣接する凸部間に位置して凸部を区画している。
【０００３】
より詳細には、特許文献１に開示された壁材の凸部は、壁材を正面から見て、上端に位置し、横方向に延びる上辺と、右端に位置し、縦方向に延びる右辺と、下端に位置し、横方向に延びる下辺と、左端に位置し、縦方向に延びる左辺とからなる。上辺と下辺とは平行である。右辺と左辺とは平行である。
【０００４】
凸部は、右辺及び左辺が短い第１種凸部と、右辺及び左辺が長い第２種凸部とがある。第１種凸部及び第２種凸部の上辺及び下辺の長さは同じである。
【０００５】
そして、全ての縦目地は直線状かつ平行に延びている。つまり、各凸部は、各右辺が同一延長線上にあり、各左辺も同一延長線上にある。このため、全ての縦目地は、縦方向に沿って横方向の幅が等しい。また、各横目地は横方向に向かって直線状かつ平行に延びている。
【０００６】
また、特許文献２に開示された壁材は、崩れた石の柄を表現するために、全ての縦目地及び横目地が直線部、湾曲部及び屈曲部を有している。
【先行技術文献】
【特許文献】
【０００７】
【特許文献１】特開２００３−２９３５４７号公報
【特許文献２】特開２００４−３１６２７７号公報
【発明の概要】
【発明が解決しようとする課題】
【０００８】
しかし、特許文献１の壁材は、壁全体に比較的単調な外観しか付与できない。また、特許文献２の壁材は、自然な石の風合いを表現し、変化に富んだ外観を付与することができるが、より凹凸感のある外観が求められている。
【０００９】
本発明は、上記従来の実情に鑑みてなされたものであって、凸部が強調され、優れた外観を壁全体に付与可能な壁材を提供することを解決すべき課題としている。
【課題を解決するための手段】
【００１０】
本発明の第１の態様の壁材は、複数の凸部と、第１方向に延び、前記第１方向と直交する第２方向で隣接する前記凸部間に位置して前記凸部を区画する複数の第１目地と、前記第２方向に延び、前記第１方向で隣接する前記凸部間に位置して前記凸部を区画する複数の第２目地とを備え、
前記第１目地は前記第１方向に向かって直線状又は曲線状に延び、
前記第２目地は前記第２方向に向かって直線状かつ平行に延び、
少なくとも二つの前記第１目地は、前記第１方向又は前記第１方向とは反対の方向に沿って前記第２方向の幅が広がる特殊第１目地であり、
二つの前記特殊第１目地が少なくとも一つの前記凸部を挟んで前記第２方向に並んでいることを特徴とする。
【００１１】
第１の態様の壁材では、第２目地が第２方向に向かって直線状かつ平行に延びているため、壁全体に調和のある外観を付与できる。
【００１２】
一方、この壁材では、第１目地が第１方向に向かって直線状又は曲線状に延びるとともに、少なくとも二つの第１目地が特殊第１目地である。特殊第１目地は、第１方向又は第１方向とは反対の方向に沿って第２方向の幅が広がっている。また、二つの特殊第１目地が少なくとも一つの凸部を挟んで第２方向に並んでいる。これらのため、この壁材では、特殊第１目地が目立ち、壁全体を単調にしない。
【００１３】
特に、この壁材では、第１、２目地が直線、曲線の辺により形成されていることから、各凸部の陰影が明確となっている。このため、この壁材は、凸部が強調されるとともに、調和と個性とのバランスのある外観を呈することができる。
【００１４】
したがって、第１の態様の壁材では、凸部が強調され、優れた外観を壁全体に付与することができる。
【００１５】
本発明の第２の態様として、特殊第１目地は、第１方向に沿って第２方向の幅が広がるＡ型第１目地又は第１方向とは反対の方向に沿って第２方向の幅が広がるＢ型第１目地である。Ａ型第１目地とＢ型第１目地とは第２方向に不規則に並んでいることが好ましい。
【００１６】
この場合、１枚の壁材において、特殊第１目地が不規則に配置されているので、第２方向の特殊第１目地の配置に変化ができ、壁全体に自然の雰囲気を醸し出すことができる。また、Ａ型第１目地とＢ型第１目地とは互いに目立つので、より凸部が強調されることとなる。
【００１７】
本発明の第３の態様として、特殊第１目地を介して第２方向で隣接する第２目地は、第１方向の幅が異なっていることが好ましい。
【００１８】
この場合、特殊第１目地を挟む両凸部の陰影が第２方向で明確となるので、よりそれらの凸部が強調される。また、複数の壁材を第２方向で接合する際、接合箇所で第２目地の位置ズレが生じても、それが目立たなくなる。
【００１９】
本発明の第４の態様として、第１方向の一端縁に位置する特殊第１目地である一端縁側特殊第１目地と、第１方向の他端縁に位置する特殊第１目地である他端縁側特殊第１目地とは、第２方向の位置が異なることが好ましい。
【００２０】
この場合、複数の壁材を第１方向で接合する際、接合箇所を介して特殊第１目地が連接することがないので、接合箇所が目立たない。
【００２１】
本発明の第５の態様として、凸部は、第１方向の幅よりも第２方向の幅が広いα型凸部と、第２方向の幅よりも第１方向の幅が広いβ型凸部とを有し得る。β型凸部は、他のβ型凸部と隣接しないことが好ましい。また、β型凸部は、特殊第１目地によって隣接する複数のα型凸部と区画されていることが好ましい。
【００２２】
この場合、β型凸部が特殊第１目地を介して複数のα型凸部と隣接するため、β型凸部が目立つこととなる。他方、β型凸部同士は隣接しないため、β型凸部が目立ち過ぎることはなく、壁全体に自然の雰囲気を醸し出すことができる。
【００２３】
本発明の第６の態様として、α型凸部は、第１種α型凸部と、第１種α型凸部よりも第２方向の長さが長い第２種α型凸部とを有していることが好ましい。
【００２４】
この場合、各α型凸部が２種以上となるため、壁全体に自然の雰囲気を醸し出すことができる。
【発明の効果】
【００２５】
本発明の壁材では、凸部が強調され、優れた外観を壁全体に付与することができる。
【図面の簡単な説明】
【００２６】
【図１】図１は、実施例１の壁材の平面図である。
【図２】図２は、実施例１の壁材に係り、その一部の拡大平面図である。
【図３】図３は、実施例１の壁材に係り、その一部をより拡大した平面図である。
【図４】図４は、実施例１の壁材に係り、縦方向の断面図である。
【図５】図５は、実施例１の壁材に係り、横方向の断面図である。
【図６】図６は、実施例１の壁材に係り、その一部をより拡大した平面図である。
【図７】図７は、実施例２の壁材の平面図である。
【図８】図８は、実施例２の壁材に係り、その一部の拡大平面図である。
【図９】図９は、変形例１の壁材に係り、その一部をより拡大した平面図である。
【図１０】図１０は、変形例２の壁材に係り、その一部をより拡大した平面図である。
【発明を実施するための形態】
【００２７】
以下、本発明を具体化した実施例１、２及び変形例１、２を図面を参照しつつ説明する。なお、図１において、垂直上方向を上と表示し、横右方向を右と表示し、垂直下方向を下と表示し、横左方向を左と表示する。また、図１において、紙面手前を表とし、紙面奥を裏とする。そして、図２以降の各図に示す各方向は、図１に対応させて表示する。
【００２８】
（実施例１）
実施例１の壁材は、セメントを含む窯業系材料からなる外壁材１である。この外壁材１は、左右方向に長い略矩形状の板材である。実施例１では、外壁材１は、上下合決り構造のものであり、上端縁及び下端縁に隣接する外壁材１と重ね合わされる接合部としての所謂さね部（図示せず）を有している。
【００２９】
この外壁材１は、複数の凸部３と、縦方向に延びる複数の縦目地５と、横方向に延びる複数の横目地７とを備えている。
【００３０】
実施例１においては、縦方向、換言すれば上下方向が第１方向に相当し、横方向、換言すれば左右方向が第２方向に相当する。
【００３１】
縦目地５は、横方向で隣接する凸部３間に位置して凸部３を区画している。横目地７は、縦方向で隣接する凸部３間に位置して凸部３を区画している。
【００３２】
凸部３は、図２に示すように、縦方向の幅よりも横方向の幅が広いα型凸部３Ｘと、横方向の幅よりも縦方向の幅が広いβ型凸部３Ｙとからなる。
【００３３】
外壁材１を正面から見て、α型凸部３Ｘは、α型凸部３Ｘの上端に位置し、横方向に延びる上辺３ａと、α型凸部３Ｘの右端に位置し、縦方向に延びる右辺３ｂとを有している。また、α型凸部３Ｘは、α型凸部３Ｘの下端に位置し、横方向に延びる下辺３ｃと、α型凸部３Ｘの左端に位置し、縦方向に延びる左辺３ｄとを有している。
【００３４】
上辺３ａ、右辺３ｂ、下辺３ｃ及び左辺３ｄは直線である。上辺３ａ及び下辺３ｃの長さは、右辺３ｂ及び左辺３ｄの長さよりも長い。上辺３ａと下辺３ｃとは水平方向に平行に延びている。右辺３ｂ及び左辺３ｄは垂直方向に対してやや傾斜している。
【００３５】
α型凸部３Ｘは、上辺３ａ及び下辺３ｃの長さが異なる複数種類で構成されている。すなわち、α型凸部３Ｘは、上辺３ａ及び下辺３ｃが最も短い第１種α型凸部３Ｘ１を有している。α型凸部３Ｘは、上辺３ａ及び下辺３ｃが次に短い第２種α型凸部３Ｘ２を有している。α型凸部３Ｘは、上辺３ａ及び下辺３ｃが普通程度の第３種α型凸部３Ｘ３を有している。α型凸部３Ｘは、上辺３ａ及び下辺３ｃがやや長い第４種α型凸部３Ｘ４を有している。さらに、α型凸部３Ｘは、上辺３ａ及び下辺３ｃがより長い第５種α型凸部３Ｘ５等を有している。
【００３６】
上辺３ａ及び下辺３ｃの長さは、第１種α型凸部３Ｘ１＜第２種α型凸部３Ｘ２＜第３種α型凸部３Ｘ３＜第４種α型凸部３Ｘ４＜第５種α型凸部３Ｘ５＜…となっている。
【００３７】
外壁材１を正面から見て、外壁材１を正面から見て、β型凸部３Ｙは、β型凸部３Ｙの上端に位置し、横方向に延びる上辺３ｅと、β型凸部３Ｙの右端に位置し、縦方向に延びる右辺３ｆを有している。また、β型凸部３Ｙは、β型凸部３Ｙの下端に位置し、横方向に延びる下辺３ｇと、β型凸部３Ｙの左端に位置し、縦方向に延びる左辺３ｈとを有している。
【００３８】
上辺３ｅ、右辺３ｆ、下辺３ｇ及び左辺３ｈは直線である。右辺３ｆ及び左辺３ｈの長さは、上辺３ｅ及び下辺３ｇの長さよりも長い。β型凸部３Ｙの右辺３ｆ及び左辺３ｈの長さは、α型凸部３Ｘの右辺３ｂ及び左辺３ｄの２倍程度である。上辺３ｅと下辺３ｇとは水平方向に平行に延びている。右辺３ｆ及び左辺３ｈは垂直方向に対してやや傾斜している。
【００３９】
外壁材１は、図４及び図５に示すように、縦目地５及び横目地７の色彩を呈する第１部９と、第１部９よりも表側に成形され、凸部３の色彩を呈する第２部１１とからなる。
【００４０】
第１部９、第２部１１は、図４に示すように、縦目地５や横目地７の底面である垂直面１ａに対して６０°傾斜した上面１３及び下面１５によって連続している。上面１３の表面側端辺がα型凸部３Ｘの上辺３ａ、又はβ型凸部３Ｙの上辺３ｅであり、下面１５の表面側端辺がα型凸部３Ｘの下辺３ｃ、又はβ型凸部３Ｙの下辺３ｇである。
【００４１】
また、第１部９、第２部１１は、図５に示すように、垂直面１ａに対して６０°傾斜した右面１７及び左面１９によって連続している。右面１７の表面側端辺がα型凸部３Ｘの右辺３ｂ、又はβ型凸部３Ｙの右辺３ｆであり、左面１９の表面側端辺がα型凸部３Ｘの左辺３ｄ、又はβ型凸部３Ｙの左辺３ｈである。
【００４２】
縦目地５は、凸部３の右辺３ｂ、３ｆと左辺３ｄ、３ｈとによって区画されている。縦目地５は、図２に示すように、縦方向に向かって直線状に延びている。
【００４３】
全ての縦目地５は、上から下の方向又は下から上の方向に沿って横方向の幅Ｗ１が広がる特殊縦目地５Ｘである。特殊縦目地５Ｘは、図３に示すように、上から下の方向に沿って横方向の幅Ｗ１が広がるＡ型縦目地５Ｘａ又は下から上の方向に沿って横方向の幅Ｗ１が広がるＢ型縦目地５Ｘｂである。
【００４４】
図２及び図３に示すように、二つの特殊縦目地５Ｘａ、５Ｘｂは少なくとも一つの凸部３を挟んで横方向に並んでいる。また、Ａ型縦目地５ＸａとＢ型縦目地５Ｘｂとは縦方向及び横方向に不規則に並んでいる。
【００４５】
図４に示すように、横目地７は、凸部３の上辺３ａ、３ｅと下辺３ｃ、３ｇとによって区画されている。横目地７は、図２に示すように、横方向に向かって直線状かつ平行に延びている。図３及び図６に示すように、特殊縦目地５Ｘａ、５Ｘｂを介して横方向で隣接する横目地７は、縦方向の幅Ｗ２が異なっている。
【００４６】
図１及び図２に示すように、縦方向の上端縁に位置する特殊縦目地５Ｘである上端縁側特殊縦目地５Ｘｕと、縦方向の下端縁に位置する特殊縦目地５Ｘである下端縁側特殊縦目地５Ｘｄとは、横方向の位置が異なっている。
【００４７】
図１及び図６に示すように、β型凸部３Ｙは他のβ型凸部３Ｙと隣接していない。また、β型凸部３Ｙは、特殊縦目地５Ｘによって隣接する複数のα型凸部３Ｘと区画されている。
【００４８】
この外壁材１では、図１及び図２に示すように、横目地７が横方向に向かって直線状かつ平行に延びているため、壁全体に調和のある外観を付与できる。一方、この外壁材１では、全ての縦目地５が特殊縦目地５Ｘである。また、二つの特殊縦目地５Ｘが少なくとも一つの凸部３を挟んで横方向に並んでいる。これらのため、特殊縦目地５Ｘが目立ち、壁全体を単調にしない。特に、この外壁材１では、縦目地５及び横目地７が直線により形成されていることから、各凸部３の陰影が明確となっている。このため、この外壁材１は、凸部が強調されるとともに、調和と個性とのバランスのある外観を呈している。
【００４９】
また、この外壁材１では、図３に示すように、特殊縦目地５ＸがＡ型縦目地５Ｘａ又はＢ型縦目地５Ｘｂであり、Ａ型縦目地５ＸａとＢ型縦目地５Ｘｂとが縦方向及び横方向に不規則に並んでいる。このため、１枚の外壁材１において、特殊縦目地５Ｘが不規則に配置され、横方向の特殊縦目地５Ｘの配置に変化ができ、壁全体に自然の雰囲気を醸し出している。
【００５０】
さらに、この外壁材１では、図３及び図６に示すように、特殊縦目地５Ｘを介して横方向で隣接する横目地７は縦方向の幅Ｗ２が異なっている。このため、特殊縦目地５Ｘを挟む両凸部３の陰影が横方向で明確となるので、よりそれらの凸部３が強調されている。また、複数の外壁材１を横方向で接合する際、接合箇所で横目地７の位置ズレが生じても、それが目立たなくなっている。
【００５１】
また、この外壁材１では、図２に示すように、上端縁側特殊縦目地５Ｘｕと下端縁側特殊縦目地５Ｘｄとは横方向の位置が異なっている。このため、複数の外壁材１を縦方向で接合する際、接合箇所を介して特殊縦目地５Ｘが連接することがないので、接合箇所が目立たなくなっている。
【００５２】
さらに、この外壁材１では、凸部３がα型凸部３Ｘとβ型凸部３Ｙとを有し、β型凸部３Ｙが他のβ型凸部３Ｙと隣接していない。また、β型凸部３Ｙは特殊縦目地５Ｘによって隣接する複数のα型凸部３Ｘと区画されている。これらのため、β型凸部３Ｙが特殊縦目地５Ｘを介して複数のα型凸部３Ｘと隣接し、β型凸部３Ｙが目立っている。他方、β型凸部３Ｙ同士は隣接しないため、β型凸部３Ｙが目立ち過ぎることはなく、壁全体に自然の雰囲気を醸し出している。
【００５３】
また、この外壁材１では、α型凸部５Ｘが第１種α型凸部５Ｘ１、第２種α型凸部５Ｘ２等を有し、各α型凸部５Ｘが２種以上であるため、この点においても壁全体に自然の雰囲気を醸し出している。
【００５４】
したがって、この外壁材１では、凸部が強調され、優れた外観を壁全体に付与することができる。
【００５５】
（実施例２）
実施例２の壁材は、図７及び図８に示す外壁材３１である。この外壁材３１は、全ての凸部３が縦方向の幅よりも横方向の幅が広いα型凸部３Ｘであり、実施例１のようなβ型凸部３Ｙを有さない。他の構成は実施例１と同様である。
【００５６】
この外壁材では、β型凸部３Ｙによる作用効果は奏さないものの、他の作用効果を実施例１と同様に奏することができる。
【００５７】
（変形例１）
変形例１の壁材は、図９に示すように、縦目地３５Ｘが縦方向に向かって曲線状に延びている。
【００５８】
縦目地３５Ｘに区画される凸部３３は、壁材を正面から見て、凸部３３の上端に位置し、横方向に延びる上辺３３ａと、凸部３３の右端に位置し、縦方向に延びる右辺３３ｂとを有している。また、この凸部３３は、凸部３３の下端に位置し、横方向に延びる下辺３３ｃと、凸部３３の左端に位置し、縦方向に延びる左辺３３ｄとを有している。右辺３３ｂ及び左辺３３ｄは凸状に湾曲した曲線であり、上辺３３ａ及び下辺３３ｃは直線である。
【００５９】
そして、右辺３３ｂと左辺３３ｄに挟まれた縦目地３５Ｘは、上から下の方向に沿って横方向の幅が広がるＡ型縦目地、又は下から上の方向に沿って横方向の幅が広がるＢ型縦目地である。
【００６０】
右辺の形状、左辺の形状以外の構成は実施例１と同様である。
【００６１】
よって、この壁材も実施例１と同様の作用効果を奏することができる。
【００６２】
（変形例２）
変形例２の壁材は、図１０に示すように、縦目地３７Ｘが縦方向に向かって曲線状に延びている。
【００６３】
縦目地３７Ｘに区画される凸部３９は、壁材を正面から見て、凸部３９の上端に位置し、横方向に延びる上辺３９ａと、凸部３９の右端に位置し、縦方向に延びる右辺３９ｂとを有している。また、この凸部３９は、凸部３９の下端に位置し、横方向に延びる下辺３９ｃと、凸部３９の左端に位置し、縦方向に延びる左辺３９ｄとを有している。右辺３９ｂ及び左辺３９ｄは波状に湾曲した曲線であり、上辺３９ａ及び下辺３９ｃは直線である。
【００６４】
そして、右辺３９ｂと左辺３９ｄに挟まれた縦目地３７Ｘは、上から下の方向に沿って横方向の幅が広がるＡ型縦目地、又は下から上の方向に沿って横方向の幅が広がるＢ型縦目地である。
【００６５】
右辺の形状、左辺の形状以外の構成は実施例１と同様である。
【００６６】
よって、この壁材も実施例１と同様の作用効果を奏することができる。
【００６７】
以上において、本発明を実施例１、２等に即して説明したが、本発明は上記実施例１、２等に制限されるものではなく、その趣旨を逸脱しない範囲で適宜変更して適用できることはいうまでもない。
【００６８】
例えば、壁材は、第１方向が横方向であり、第２方向が縦方向であってもよい。また、壁材は、第１部９、第２部１１の上面及び下面が、縦目地５や横目地７の底面である垂直面１ａに対して６０°以外の角度で連続しても良いし、第１部９、第２部１１の右面及び左面も垂直面１ａに対して６０°以外の角度で連続しても良い。さらに、第１部９と第２部１１との界面は、垂直面１ａと同一であってもよく、凸部３の先端面と同一であってもよい。
【００６９】
また、壁材は、横方向の幅と縦方向の幅とが等しいγ型凸部を有することもできる。さらに、β型凸部は、第１方向の幅がα型凸部の右辺及び左辺の３倍以上であってもよい。
【００７０】
壁材は、四方合決り構造のものであってもよく、さね部等の接合部を有さないものであってもよい。また、壁材は、外壁材に限定されず、内壁材であってもよい。さらに、壁材は、合板、石膏ボード等のものの他、金属系材、樹脂系材等であってもよい。
【符号の説明】
【００７１】
３、３Ｘ、３Ｙ、３Ｘ１、３Ｘ２、３Ｘ３、３Ｘ４、３Ｘ５…凸部
５、５Ｘ、５Ｘａ、５Ｘｂ…縦目地（第１目地）
７…横目地（第２目地）
５Ｘ…特殊縦目地（特殊第１目地）
Ｗ１…横方向（第２方向）の幅
５Ｘａ…Ａ型縦目地（Ａ型第１目地）
５Ｘｂ…Ｂ型縦目地（Ｂ型第１目地）
Ｗ２…縦方向（第１方向）の幅
５Ｘｕ…上端縁側特殊縦目地（一端縁側特殊第１目地）
５Ｘｄ…下端縁側特殊縦目地（他端縁側特殊第１目地）
３Ｘ…α型凸部
３Ｙ…β型凸部
３Ｘ１…第１種α型凸部
３Ｘ２…第２種α型凸部
【図１】
2018172890.tif 000003
【図２】
2018172890.tif 000004
【図３】
2018172890.tif 000005
【図４】
2018172890.tif 000006
【図５】
2018172890.tif 000007
【図６】
2018172890.tif 000008
【図７】
2018172890.tif 000009
【図８】
2018172890.tif 000010
【図９】
2018172890.tif 000011
【図１０】
2018172890.tif 000012